(57)【特許請求の範囲】
【請求項１】
本体と、
前記本体の一端に設置される転写ヘッドと、
それぞれ回転可能に該本体に設置され、テープリール及び回収リールを備えるリールユニットと、
前記テープリール及び回収リールを同期回転させるために、該テープリールと回収リールとの間に設置される伝動装置と、
前記リールユニット及び転写ヘッドに巻回されるテープと、
前記テープリールに当接されると共に、前記本体に設けられる固定プレートとを有し、
前記固定プレートに、該固定プレートを前記本体に結合させるための少なくとも１つの結合アームが延設されることを特徴とするテープユニット。
【請求項２】
前記本体は、上端が開口状を呈すると共に、係合孔が形成されるテープ軸を有し、前記テープリールは、回転可能に該テープ軸に設置され、前記固定プレートにおける、前記テープリールに面する側面に、前記テープ軸の係合孔に係合される係合凸部が凸設されることを特徴とする請求項１に記載のテープユニット。
【請求項３】
前記テープ軸の高さは、前記テープリールの側面の幅より高いことを特徴とする請求項２に記載のテープユニット。
【請求項４】
前記固定プレートにおける、テープリールに面する側面に、前記テープリールに当接する当接リングが凸設されることを特徴とする請求項２または３に記載のテープユニット。
【請求項５】
前記少なくとも１つの結合アームは、前記本体に一体に形成されると共に、該本体との結合箇所が湾曲可能な構造であることを特徴とする請求項４に記載のテープユニット。
【請求項６】
前記本体における、固定プレートの設置箇所に、２つの制限凸部が間隔をおいて凸設され、該固定プレートの少なくとも１つの結合アームは、該２つの制限凸部の間に延設され、且つ該制限凸部に当接されることを特徴とする請求項５に記載のテープユニット。
【請求項７】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項６に記載のテープユニット。
【請求項８】
前記テープリールは、第一リールと第二リールとを組み合わせてなり、該第一リールと第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項７に記載のテープユニット。
【請求項９】
前記伝動装置はそれぞれ、対応し合うように前記テープリール及び回収リールに設置される２つのベルトリールと、該２つのベルトリールに係回される伝動リングとを有することを特徴とする請求項６に記載のテープユニット。
【請求項１０】
前記テープリールは、第一リールと第二リールとを組み合わせてなり、該第一リールと第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項９に記載のテープユニット。
【請求項１１】
前記固定プレートにおける少なくとも１つの結合アームは、分離可能に前記本体に設置されることを特徴とする請求項４に記載のテープユニット。
【請求項１２】
前記本体における、固定プレートが設置された箇所に、２つの制限凸部が間隔をおいて凸設され、該固定プレートの少なくとも１つの結合アームは、該２つの制限凸部の間に延設され、且つ該制限凸部に当接されることを特徴とする請求項１１に記載のテープユニット。
【請求項１３】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項１２に記載のテープユニット。
【請求項１４】
前記テープリールは、第一リールと第二リールとを組み合わせてなり、該第一リールと該第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項１３に記載のテープユニット。
【請求項１５】
前記伝動装置はそれぞれ、対応し合うように前記テープリール及び回収リールに設置される２つのベルトリールと、該２つのベルトリールに係回される伝動リングとを有することを特徴とする請求項１２に記載のテープユニット。
【請求項１６】
前記テープリールは、第一リールと第二リールとを組み合わせてなり、該第一リールと第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項１５に記載のテープユニット。
【請求項１７】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項１乃至３の何れか１項に記載のテープユニット。
【請求項１８】
前記テープリールは、第一リールと第二リールとを組み合わせてなり、該第一リールと第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項２または３の何れか１項に記載のテープユニット。
【請求項１９】
前記伝動装置はそれぞれ、対応し合うように前記テープリール及び回収リールに設置される２つのベルトリールと、該２つのベルトリールに係回される伝動リングとを有することを特徴とする請求項１乃至３の何れか１項に記載のテープユニット。
【請求項２０】
ケースと、
本体と、該本体の一端に設置される転写ヘッドと、それぞれ回転可能に該本体に設置され、テープリール及び回収リールを備えるリールユニットと、前記テープリール及び回収リールを同期回転させるために、該テープリールと回収リールとの間に設置される伝動装置と、前記リールユニット及び転写ヘッドに巻回されるテープと、前記テープリールに当接されると共に、前記本体に設けられる固定プレートとを備え、前記ケースの内部に収容されるテープユニットとを有し、
前記固定プレートに、該固定プレートを前記本体に結合させるための少なくとも１つの結合アームが延設されることを特徴とするテープユニットを用いたフィルム転写器。
【請求項２１】
前記本体は、上端が開口状を呈すると共に、係合孔が形成されるテープ軸を有し、前記テープリールは、回転可能に前記テープ軸に設置され、前記固定プレートにおける、前記テープリールに面する側面に、前記テープ軸の係合孔に係合される係合凸部が凸設されることを特徴とする請求項２０に記載のテープユニットを用いたフィルム転写器。
【請求項２２】
前記テープ軸の高さは、前記テープリールの側面の幅より高いことを特徴とする請求項２１に記載のテープユニットを用いたフィルム転写器。
【請求項２３】
前記固定プレートにおける、テープリールに面する側面に、前記テープリールに当接する当接リングが凸設されることを特徴とする請求項２１または２２に記載のテープユニットを用いたフィルム転写器。
【請求項２４】
前記少なくとも１つの結合アームは、前記本体に一体に形成されると共に、該本体との結合箇所が、湾曲可能な構造であることを特徴とする請求項２３に記載のテープユニットを用いたフィルム転写器。
【請求項２５】
前記本体における、固定プレートの設置箇所に、２つの制限凸部が間隔をおいて凸設され、該固定プレートの少なくとも１つの結合アームは、該２つの制限凸部の間に延設され、且つ該制限凸部に当接されることを特徴とする請求項２４に記載のテープユニットを用いたフィルム転写器。
【請求項２６】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項２５に記載のテープユニットを用いたフィルム転写器。
【請求項２７】
前記テープリールは、第一リール及び第二リールとを組み合わせてなり、該第一リールと該第二リールとの間に、ブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項２６に記載のテープユニットを用いたフィルム転写器。
【請求項２８】
さらに、前記テープユニットをケースから押し出すための伸縮装置が設置されることを特徴とする請求項２７に記載のテープユニットを用いたフィルム転写器。
【請求項２９】
前記伝動装置はそれぞれ、対応し合うように前記テープリール及び回収リールに設置される２つのベルトリールと、該２つのベルトリールに係回される伝動リングとを有することを特徴とする請求項２５に記載のテープユニットを用いたフィルム転写器。
【請求項３０】
前記テープリールは、第一リールと第二リールとを組み合わせてなり、該第一リールと該第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項２９に記載のテープユニットを用いたフィルム転写器。
【請求項３１】
さらに、前記テープユニットをケースから押し出すための伸縮装置が設置されることを特徴とする請求項３０に記載のテープユニットを用いたフィルム転写器。
【請求項３２】
前記固定プレートにおける少なくとも１つの結合アームは、分離可能に前記本体に設置されることを特徴とする請求項２３に記載のテープユニットを用いたフィルム転写器。
【請求項３３】
前記本体における、固定プレートの設置箇所に、２つの制限凸部が間隔をおいて凸設され、該固定プレートの少なくとも１つの結合アームは、該２つの制限凸部の間に延設され、且つ、該制限凸部に当接されることを特徴とする請求項３２に記載のテープユニットを用いたフィルム転写器。
【請求項３４】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項３３に記載のテープユニットを用いたフィルム転写器。
【請求項３５】
前記テープリールは、第一リールと第二リールとを組み合わせてなり、該第一リールと該第二リールとの間にブレーキ装置が位置し、該ブレーキ装置は、前記第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項３４に記載のテープユニットを用いたフィルム転写器。
【請求項３６】
さらに、前記テープユニットをケースから押し出すための伸縮装置が設置されることを特徴とする請求項３５に記載のテープユニットを用いたフィルム転写器。
【請求項３７】
前記伝動装置はそれぞれ、対応し合うように前記テープリール及び回収リールに設置される２つのベルトリールと、該２つのベルトリールに係回される伝動リングとを有することを特徴とする請求項３３に記載のテープユニットを用いたフィルム転写器。
【請求項３８】
前記テープリールは、第一リールと第二リールとを組み合わせてなり、該第一リールと該第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームに周設されるための結合管が凸設され、該ブレーキ凸部は、該結合管の内面に当接することを特徴とする請求項３７に記載のテープユニットを用いたフィルム転写器。
【請求項３９】
さらに、前記テープユニットをケースから押し出すための伸縮装置が設置されることを特徴とする請求項３８に記載のテープユニットを用いたフィルム転写器。
【請求項４０】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合されることを特徴とする請求項２０乃至２２の何れか１項に記載のテープユニットを用いたフィルム転写器。
【請求項４１】
前記テープリールは、第一リールと第二リールとを組み合わせてなり、該第一リールと該第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接することを特徴とする請求項２１または２２に記載のテープユニットを用いたフィルム転写器。
【請求項４２】
前記伝動装置はそれぞれ、対応し合うように前記テープリール及び回収リールに設置される２つのベルトリールと、該２つのベルトリールに係回される伝動リングとを有することを特徴とする請求項２０乃至２２の何れか１項に記載のテープユニットを用いたフィルム転写器。
【請求項４３】
さらに、前記テープユニットをケースから押し出すための伸縮装置が設置されることを特徴とする請求項２０乃至２２の何れか１項に記載のテープユニットを用いたフィルム転写器。
【発明の詳細な説明】
【技術分野】
【０００１】
本発明は転写器に関し、特にテープユニットをしっかりと固定するためのテープユニットを備えるフィルム転写器に関するものである
【背景技術】
【０００２】
一般に修正テープとは、書類などの誤記箇所上にテープを転写することにより、その誤記を修正できるようにするものであり、そのケースの内部には、修正テープ部材６０が設置されている。図８及び図９に示すように、既存の修正テープ部材６０は、本体６１を含み、該本体６１の一端に転写ヘッド６２が設置されると共に、他端にリールユニット６４が設置され、該リールユニット６４は主に、互いに連動するテープリール６４２及び回収リール６４４を備え、更に、該本体６１に、リールユニット６４及び転写ヘッド６２の周囲に位置するように、テープが設置される。また、既存の修正テープを使用する時は、先ず転写ヘッド６２をケースから押し出して、書類などの誤記箇所上に押圧し、この時、ケースを押しながら移動させて誤記箇所にテープを転写する。この操作方法によれば、テープを次々と連続してテープリール６４２から引き出しながら、使用済みのテープを回収リール６４４に巻き取り回収することができる。
【０００３】
また、既存のリールユニット６４におけるテープリール６４２と回収リール６４４との間に伝動リング６６が係回され、これにより、該伝動リング６６を介してテープリール６４２及び回収リール６４４を同期回転させ、まだ使用しないテープをテープリール６４２から引き出しながら、使用済みのテープを回収リール６４４に巻き取って回収することができる。また、既存のテープリール６４２は、回転可能に本体６１のリール軸６１２に環装され、該リール軸６１２の上端に、テープリール６４２の側面と係合する弾性フック６１３が設けられることにより、テープリール６４２が回転可能にリール軸６１２に設置され、この時、該テープリール６４２は、本体６１から脱落しないようにしっかりと設置される。
【先行技術文献】
【特許文献】
【０００４】
【特許文献１】台湾実用新案公告第Ｍ４０２８０１号公報
【発明の概要】
【発明が解決しようとする課題】
【０００５】
しかしながら、既存の修正テープは、リールユニット６４におけるテープリール６４２と回収リール６４４との間に伝動リング６６が係回されることによって、該テープリール６４２と回収リール６４４とを、互いに接近させる力が生じることから、該テープリール６４２及び回収リールが力を受けて斜めになり、該テープリール６４２が斜めに回転してしまうことがある。故に、図１０に示すように、この構成では、テープをスムーズに引き出すことができないので、修正テープ装置をうまく使用することができないといった問題を有する。
【０００６】
既存の修正テープにおいては、修正テープ部材６０における本体６１のリール軸６１２に設けられる弾性フック６１３が単に一本の細長状のフックであることから、テープリール６４２を本体６１から脱落しないようにする保持効果はあるが、テープリール６４２をスムーズに回転させる効果にあまり優れなく、テープリール６４２が力により斜めに回転してしまうといった問題を防ぐことができない。また、既存の弾性フック６１３は、細長状を呈するものであり、強度に優れないことから、製造或いは組み立て時に、変形しやすいことから、テープリール６４２を安定的に固定することができないと共に、テープリール６４２が本体６１から脱落する虞があるので、使用上、非常に不便であった。
【課題を解決するための手段】
【０００７】
本発明に係る芯テープ仕組みは、本体と、前記本体の一端に設置される転写ヘッドと、それぞれ回転可能に該本体に設置され、テープリール及び回収リールを備えるリールユニットと、前記テープリール及び回収リールを同期回転させるために、該テープリールと回収リールとの間に設置される伝動装置と、前記リールユニット及び転写ヘッドに巻回されるテープと、前記テープリールに当接されると共に、前記本体に設けられる固定プレートとを有するものである。
【０００８】
前記本体は、上端が開口状を呈すると共に、係合孔が形成されるテープ軸を有し、前記テープリールは、回転可能に該テープ軸に設置され、前記固定プレートにおける、前記テープリールに面する側面に、前記テープ軸の係合孔に係合される係合凸部が凸設される。
【０００９】
前記テープ軸の高さは、前記テープリールの側面の幅より高いことが好ましい。
【００１０】
前記固定プレートにおける、テープリールに面する側面に、前記テープリールに当接する当接リングが凸設される。
【００１１】
前記固定プレートに、該固定プレートを前記本体に結合されるための少なくとも１つの結合アームが延設される。
【００１２】
前記少なくとも１つの結合アームは、前記本体に一体に形成されると共に、該本体との結合箇所が湾曲可能な構造である。
【００１３】
前記本体における、固定プレートの設置箇所に、２つの制限凸部が間隔をおいて凸設され、該固定プレートの少なくとも１つの結合アームは、該２つの制限凸部の間に延設され、且つ該制限凸部に当接される。
【００１４】
前記伝動装置は、前記テープリールと同軸に設置されるテープ歯車と、回転可能に前記本体に設置される伝動歯車と、前記回収リールと同軸に設置される回収歯車とを備え、その内、該伝動歯車は、該テープ歯車と回収歯車に噛合される。
【００１５】
前記テープリールは、第一リールと第二リールとを組み合わせてなり、該第一リールと第二リールとの間にブレーキ装置が位置し、該ブレーキ装置は、該第一リールに円形に排列されるように設けられると共に、前記テープ軸の周囲に位置する複数の弾性ブレーキアームを含み、該各弾性ブレーキアームは、上段外側面にブレーキ凸部が凸設され、一方、該第二リールに、該弾性ブレーキアームの周囲に位置する結合管が凸設され、該ブレーキ凸部は、該結合管の内面に当接する。
【００１６】
前記伝動装置はそれぞれ、対応し合うように前記テープリール及び回収リールに設置される２つのベルトリールと、該２つのベルトリールに係回される伝動リングとを有する。
【００１７】
前記固定プレートにおける少なくとも１つの結合アームは、分離可能に前記本体に設置される。
【００１８】
ケースと、
本体と、該本体の一端に設置される転写ヘッドと、それぞれ回転可能に該本体に設置され、テープリール及び回収リールを備えるリールユニットと、前記テープリール及び回収リールを同期回転させるために、該テープリールと回収リールとの間に設置される伝動装置と、前記リールユニット及び転写ヘッドに巻回されるテープと、前記テープリールに当接されると共に、前記本体に設けられる固定プレートとを備え、前記ケースの内部に収容されるテープユニットとを有することを特徴とするテープユニットを用いたフィルム転写器。
【００１９】
さらに、前記テープユニットをケースから押し出すための伸縮装置が設置される。
【発明の効果】
【００２０】
本発明に係るテープユニット及びテープユニットを用いたフィルム転写器は、その固定プレートによりテープリールを安定的に本体に組み合わせると共に、該固定プレートは広幅で扁平状を呈して変形しないようなプレート体であることから、簡単に本体から脱落しなく、安定性を高める。故に、テープユニットの傾斜状の回転を防ぐことができることから、テープユニットの操作上の安定性を高めることができるので、テープをスムーズに引き出すことができる。
【図面の簡単な説明】
【００２１】
【図１】本発明に係るテープユニットを用いたフィルム転写器の斜視図である。
【図２】本発明に係るテープユニットを用いたフィルム転写器の分解斜視図である。
【図３】本発明に係るテープユニットを用いたフィルム転写器の部分断面図である。
【図４】本発明に係るテープユニットの部分分解斜視図である。
【図５】本発明に係るテープユニットの部分拡大断面図である。
【図６】本発明に係るテープユニットの他の実施例における部分斜視図である。
【図７】本発明に係るテープユニットの他の実施例における部分拡大断面図である。
【図８】既存のテープユニットの分解斜視図である。
【図９】既存のテープユニットの部分拡大断面図である。
【図１０】既存のテープユニットのテープリールが力を受けて斜めになった状態を示す部分拡大断面図である。
【発明を実施するための形態】
【００２２】
以下、添付図面を参照して本発明の適切な実施の形態を詳細に説明する。
【実施例】
【００２３】
図１乃至図３に示すように、本発明におけるテープユニット及びテープユニットを用いたフィルム転写器は、修正テープや粘着テープなどであり、テープを所定の箇所に転写することができるものであれば、本発明の技術的範囲に属する。
【００２４】
本発明に係るフィルム転写器は、ケース１０及びテープユニット３０を有し、その内、該ケース１０は、内部に該テープユニット３０を収容するための収容空間を有するものであり、その構成は、互いに結合する２つの部材からなってもよく、即ち、図に示すように、収容部材とキャップとを結合するものでもよく、上下或いは左右に対応する２つの部材を結合するものでもよく、そのケース１０が分離可能に構成されるものであればよい。なお、本発明は、ケース１０の形状や、数量、結合方法などに制限はない。
【００２５】
前記テープユニット３０は常に、前記ケース１０から突出する状態としてもよく、その場合、該ケース１０はさらに、ケース１０から突出したテープユニット３０をカバーするためのフタを含み、そのフタは、本発明に係るフィルム転写器を使用しない時に、テープユニット３０が他のものと接触して汚れることを防ぐことができる。
【００２６】
また、前記テープユニット３０は、図に示すように、そのすべてをケース１０に収納するタイプもあり、この場合、該テープユニット３０をケース１０から押し出すために、該ケース１０に伸退装置２０が設置され、該伸退装置２０は、図に示すような押しボタン式や、回転ボタン式や、スライド式などのものでもよく、該テープユニット３０がケース１０から押し出されるものであればよい。なお、本発明においては、伸退装置２０のタイプに制限はなく、また、その伸退装置２０及びケース１０は、本発明の重点ではないので、詳しい構造の説明は省略する。
【００２７】
図２乃至図４に示すように、本発明におけるテープユニット３０は主に、本体３１と、転写ヘッド３２と、リールユニット３３と、伝動装置３６と、テープ３７と、固定プレート３８とを有し、その内、該転写ヘッド３２は、該本体３１の一端に設置され、前記ケース１０から伸長或いはスライドすることができ、該リールユニット３３は、該本体３１の他端に設置され、テープリール３４及び回収リール３５を備え、該テープリール３４及び回収リール３５はそれぞれ、該本体３１のテープ軸３１２及び回収軸３１４に設置され、該テープ軸３１２は、上端が開口状を呈すると共に、係合孔３１３が形成され、該テープリール３４の側面の幅より高い構造となっており、一方、該テープリール３４は、第一リール３４２と第二リール３４３とを組み合わせてなり、該第一リール３４２と該第二リール３４３との間にブレーキ装置が設置されている。
【００２８】
図５に示すように、ブレーキ装置は、第一リール３４２に円形に排列されるように設けられると共に、テープ軸３１２の周囲に位置する複数の弾性ブレーキアーム３４２２を含み、該各弾性ブレーキアーム３４２２は、上段外側面にブレーキ凸部３４２４が凸設され、一方、第二リール３４３に、該弾性ブレーキアーム３４２２の周囲に位置する結合管３４３２が凸設され、該ブレーキ凸部３４２４は、該結合管３４３２の内面に当接する。
【００２９】
前記伝動装置３６は、前記テープリール３４と回収リール３５との間に設置されると共に、該テープリール３４及び回収リール３５と連動して同期回転するものである。また、前記伝動装置３６は、前記テープリール３４と同軸に設置されるテープ歯車３６２と、回転可能に前記本体３１に設置される伝動歯車３６４と、前記回収リール３５と同軸に設置される回収歯車３６６とを備え、その内、該伝動歯車３６４は、該テープ歯車３６２と回収歯車３６６とに噛合される。尚、前記テープ歯車３６２は、前記第一リール３４２の側面に形成されることが好ましく、こうすることにより、前記テープリール３４が回転する時に、テープ歯車３６２、伝動歯車３６４、回収歯車３６６の回転により、回収リール３５と同期に、且つ同一方向に回転することができる。
【００３０】
前記テープ３７は、前記リールユニット３３及び転写ヘッド３２に巻回されるものである。前記テープ３７における、まだ使用していない一端は、前記第二リール３４３の結合管３４３２に巻回されると共に、使用済みの他端には、前記転写ヘッド３２に掛けられて回収リール３５に巻回されることが好ましい。
【００３１】
前記固定プレート３８は、前記本体３１におけるリールユニット３３の一側に設けられる。尚、前記固定プレート３８は、図に示すように、前記本体３１の一端に一体成形してもよく、別個の部材として該本体３１に設置してもよい。また、前記固定プレート３８は、広幅で扁平状のプレート体であり、前記テープリール３４の側面に当接されるものである。更に、前記固定プレート３８における、前記テープリール３４に面する側面に、前記テープリール３１２の係合孔３１３に嵌め込まれる係合凸部３８２が凸設され、この係合凸部３８２とテープリール３１２との組み合せによって、該固定プレート３８をテープリール３１２にしっかりと結合し、該テープリール３４を前記本体３１と固定プレート３８との間に位置決めできるので、該テープリール３４の本体３１からの脱落を防ぐことができる。また、前記固定プレート３８における、テープリール３４に面する側面にさらに、環状の当接リング３８４が凸設され、該当接リング３８４は、該係合凸部３８２を中心として形成されると共に、該テープリール３４の側面に当接されることから、その当接リング３８４の設置によって、該テープリール３４の回転時に、傾斜状になる問題を解決できると共に、該テープリール３４の巻回及びテープ３７の引き出しの安定性を向上させることができる。
【００３２】
また、前記固定プレート３８は通常、該固定プレート３８を前記本体３１に結合されるための少なくとも１つの結合アーム３８６が延設されるが、図に示すように、結合アーム３８６は２つ設置されることが好ましく、該各結合アーム３８６は、該本体３１に一体に形成されると共に、該本体３１との結合箇所が湾曲可能である。尚、前記固定プレート３８の他の構成においては、前記結合アーム３８６を、係合手段などにより、分離可能に前記本体３１に設置させてもよい。また、前記本体３１における、固定プレート３８の設置箇所の両側に、２つの制限凸部３１６が間隔をおいて凸設され、該固定プレート３８の２つの結合アーム３８６は、該制限凸部３１６に当接されるように、該２つの制限凸部３１６との間に延設される。
【００３３】
図１乃至図３に示すように、本発明を使用する時は、フタを取り外し、或いは、伸退装置２０により転写ヘッド３２をケース１０から押し出し、該転写ヘッド３２を、書類の誤記箇所上に押圧しながらケース１０を持って移動させ、テープ３７を書類に転写して誤記箇所を被覆する。この時、前記テープ３７を出しながら移動させれば、そのテープリール３４の第二リール３４３及び第一リール３４２がそれに伴なって回転し、まだ使用していないテープ３７をテープリール３４から引き出しながら、一方で伝動装置３６による回収リール３５を同期回転させ、使用済みのテープ３７をその回収リール３５に巻回して回収するので、修正テープを連続して提供し続けることができる。
【００３４】
また、使用者が前記テープ３７を停止させようとするときは、前記弾性ブレーキアーム３４２２のブレーキ凸部３４２４と結合管３４３２の内面との間における、互いの当接による摩擦力によって、該テープ３７をテープリール３４から送り続けることを止め、第二リール３４３の回転を停止させる。
【００３５】
本発明におけるテープユニット３０には、テープリール３４に当接する固定プレート３８が設けられることから、この固定プレート３８によって、該テープリール３４を本体３１にしっかりと組み合せることができると共に、該テープリール３４の本体３１からの脱落を防止し、更には、該テープリール３４の回転も制限することができる。また、この他にも、前記テープリール３４が斜めになることや、テープ軸３１２からの脱落などを防止すると共に、テープ３７をスムーズに送り出して転写する効果も有する。
【００３６】
また、前記固定プレート３８は、広幅で扁平状のプレート体であり、製造や装着する時に変形し難いものであることから、安定的に且つしっかりとテープ軸３１２に組み合わせることができるので、テープリール３４が本体３１から脱落することはない。仮に、前記固定プレート３８の結合アーム３８６が、本体３１から折れて脱落した場合であっても、その制限凸部３１６により結合アーム３８６が位置決められていることから、該固定プレート３８が、テープ軸３１２を中心に回転することはないので、すべての構造を安定的に維持することができる。
【００３７】
図６及び図７に示すように、本発明において、テープユニット３０に組み合わされた伝動装置４０はそれぞれ、対応し合うようにテープリール３４及び回収リール３５に設置される２つのベルトリール４２、４４を有し、その２つのベルトリール４２、４４に伝動リング４６が係回され、該テープリール３４が回転する時、該伝動リング４６及びベルトリール４２、４４を介して回収リール３５が同期回転し、テープ３７の送り出しや回収が行われる。
【００３８】
本実施例においては、伝動リング４６によりテープリール３４と回収リール３５とを同期回転させると共に、互いに接近するが、本体３１には、該テープリール３４と当接する固定プレート３８が設置されることから、該テープリール３４が傾斜状になることを防ぐと共に、リールユニット３３の稼動時の安定性を保持することができる。
【００３９】
上述した内容は、本考案の好適な実施の形態を示したものにすぎず、本発明の技術的範囲は、上記実施例そのものに何ら限定されるものではない。
【産業上の利用可能性】
【００４０】
上述したように、本発明に係るテープユニット及びテープユニットを用いたフィルム転写器は、上記の構成を有することから、固定プレートによりテープリールを安定的に本体に組み合わせることができる。故に、テープリールの本体からの脱落を防ぐと共に、テープユニットが傾斜状になることを防ぐので、テープユニットの操作上の安定性を高め、テープをよりスムーズに送り出すことができる。
【符号の説明】
【００４１】
１０        ケース
２０        伸退装置
３０        テープユニット
３１        本体
３１２      テープ軸
３１３      係合孔
３１４      回収リール
３１６      制限凸部
３２        転写ヘッド
３３        リールユニット
３４        テープリール
３４２      第一リール
３４２２    弾性ブレーキアーム
３４２４    ブレーキ凸部
３４３      第二リール
３４３２    結合管
３５        回収リール
３６        伝動装置
３６２      テープ歯車
３６４      伝動歯車
３６６      回収歯車
３７        テープ
３８        固定プレート
３８２      係合凸部
３８４      当接リング
３８６      結合アーム
４０        伝動装置
４２、４４  ベルトリール
４６        伝動リング
６０        修正テープ部材
６１        本体
６１２      リール軸
６１３      弾性フック
６２        転写ヘッド
６４        リールユニット
６４２      テープリール
６４４      回収リール
６６        伝動リング
【図１】
0005859233.tif 000002
【図２】
0005859233.tif 000003
【図３】
0005859233.tif 000004
【図４】
0005859233.tif 000005
【図５】
0005859233.tif 000006
【図６】
0005859233.tif 000007
【図７】
0005859233.tif 000008
【図８】
0005859233.tif 000009
【図９】
0005859233.tif 000010
【図１０】
0005859233.tif 000011